(57)【特許請求の範囲】
【請求項１】
手部および指部と、
内面および外面ならびに袖口の縁を有する袖口であって、手袋がパッケージに包装される場合、前記袖口は折り部で折り重ねられるように構成され、折り重ねられる場合、前記袖口の内面の一部は外側を向いている面になる、袖口と、
前記内面に連結され、自由端および非自由端を含む取り外し可能なタブと、
前記折り部付近に取り外し可能に連結され、前記袖口が前記折り部で折り重ねられる場合、前記外側を向いている面の少なくとも一部を覆う第１の取り外し可能なシールドと、
を含み、
前記第１の取り外し可能なシールドが前記取り外し可能なタブと前記外側を向いている面との間にある、無菌手袋。
【請求項２】
前記取り外し可能なタブの少なくとも１つの剛性部分は全体的に剛性があり、前記非自由端は前記折り部の近くに連結され、前記袖口により形成される開口部を支持するように構成される、請求項１に記載の無菌手袋。
【請求項３】
前記取り外し可能なタブの少なくとも１つの剛性部分は全体的に剛性があり、前記非自由端は前記折り部の近くに連結され、手が前記手袋に挿入されている間、前記袖口が広がるのを防ぐように構成される、請求項１に記載の無菌手袋。
【請求項４】
前記パッケージが開放される場合、前記取り外し可能なタブの自由端が前記外側を向いている面と接触しないように、前記第１の取り外し可能なシールドが前記取り外し可能なタブと前記外側を向いている面との間にある、請求項１に記載の無菌手袋。
【請求項５】
前記取り外し可能なタブの取り外し可能な部分は、手が前記手袋に挿入された後、除去されるように構成され、前記袖口が前記折り部で折り重ねられる場合、前記取り外し可能な部分の全ては前記外側を向いている面に連結される、請求項１に記載の無菌手袋。
【請求項６】
前記手部および前記指部を結ぶ方向に前記袖口の前記折り部の開口の中心を通して延びる長手方向軸をさらに含み、前記取り外し可能なタブの自由端は剛性であり、前記長手方向軸から前記袖口の半径方向の外側へ延びる、請求項１に記載の無菌手袋。
【請求項７】
前記外側を向いている面はほぼ平面を含み、前記取り外し可能なタブの前記自由端は剛性であり、前記平面から垂直の方向に延びる、請求項１に記載の無菌手袋。
【請求項８】
前記第１の取り外し可能なシールドに連結される第２の取り外し可能なシールドをさらに含み、前記手袋が包装される場合、前記取り外し可能なタブは、前記第１の取り外し可能なシールドと前記第２の取り外し可能なシールドとの間にある、請求項１に記載の無菌手袋。
【請求項９】
前記第１の取り外し可能なシールドは前記取り外し可能なタブの前記自由端周囲にエンクロージャを形成する、請求項１に記載の無菌手袋。
【請求項１０】
前記第１の取り外し可能なシールドが前記袖口の縁に取り外し可能に連結される、請求項１に記載の無菌手袋。
【請求項１１】
前記取り外し可能なタブが、旋回軸と、一対のハンドルと、一対のアームとを含む伸張機構を含み、前記ハンドルが前記旋回軸を介して前記アームに連結される、請求項１に記載の無菌手袋。
【請求項１２】
手部および指部と、内面および外面ならびに袖口の縁を有する袖口とを含む無菌手袋をパッケージに包装する方法であって、前記方法は、
折り重ねられる場合、前記袖口の前記内面の少なくとも一部が外側を向いている面になるように、折り部において前記袖口を折り畳む工程と、
取り外し可能なタブを前記内面に連結する工程であって、前記取り外し可能なタブは自由端および非自由端を含む、工程と、
前記折り部付近に取り外し可能に連結され、前記袖口が前記折り部において折り重ねられる場合、前記外側を向いている面の少なくとも一部を覆う第１の取り外し可能なシールドを連結する工程と、
を含み、
包装される場合、前記第１の取り外し可能なシールドが前記取り外し可能なタブと前記外側を向いている面との間にある、方法。
【請求項１３】
前記無菌手袋が請求項２〜１１のいずれか一項に記載の無菌手袋をさらに含む、請求項１２に記載の方法。
【発明の詳細な説明】
【技術分野】
【０００１】
一実施形態は概して、無菌手袋、特に触れずに着用できる無菌手袋に関する。
【背景技術】
【０００２】
無菌エラストマー手袋は、種々の操作の間の異物の接触移動を防ぐために医療および実験専門家により高い頻度で使用される。無菌手袋は典型的に、それらの袖口の内面の一部を露出するように袖口が折り重ねられた状態で包装される。これにより、折り畳んだ領域付近のみで、袖口の縁からいくらかの距離で触れることによって手袋は手に取られ、着用の間、保持され得、汚染の危険性を最小化する。
【０００３】
無菌手袋を着用する問題を扱うために種々の構造、包装および分配の改良および技術が紹介されている。しかしながら、それらの公知の方法は、手袋の使用および製造の費用および複雑性を不必要に増加させる傾向がある。
【発明の概要】
【課題を解決するための手段】
【０００４】
一実施形態は、手部および指部と、内面および外面ならびに袖口の縁を有する袖口とを含む無菌手袋である。袖口は、手袋が包装されている場合、折り部で折り重ねられるように構成され、袖口の内面の一部は、折り重ねられる場合、外側を向いている面になる。手袋はさらに、内面に連結され、自由端および非自由端を含む取り外し可能なタブを含む。手袋はさらに、袖口が折り部で折り重ねられる場合、外側を向いている面の少なくとも一部を覆う取り外し可能なシールドを含む。
【図面の簡単な説明】
【０００５】
【図１】図１は、包装から除去され、使用者により着用される前の場合のように構成されている従来技術の無菌手袋の斜視図である。
【図２】図２は、包装または他の保存手段から除去され、使用者により着用される前の場合のように構成されている一実施形態に係る無菌手袋の斜視図である。
【図３】図３は、別の実施形態に係る取り外し可能なタブの斜視図である。
【図４】図４は、別の実施形態に係る取り外し可能なタブの斜視図である。
【図５】図５は、別の実施形態に係る無菌手袋の斜視図である。
【図６】図６は、一実施形態に係る平面に包装できる無菌手袋の斜視図である。
【図７】図７は、一実施形態に係る無菌手袋の斜視図である。
【図８】図８は、一実施形態に係る無菌手袋の斜視図である。
【図９】図９は、一実施形態に係る無菌手袋の斜視図である。
【図１０】図１０は、一実施形態に係る無菌手袋の斜視図である。
【発明を実施するための形態】
【０００６】
一実施形態は、手袋の着用可能な部分のいずれにも触れることなく手袋を容易かつ確実に着用できる取り外し可能なタブおよび取り外し可能なシールドを有する無菌手袋である。
【０００７】
図１は、包装から除去され、使用者により着用される前の場合のように構成されている従来技術の無菌手袋１０の斜視図である。手袋１０は、袖口２、袖口の縁４、ならびに指部および手部１を含む。図１に示すように手袋１０の袖口２は、内面の少なくとも一部が「外側を向いている面」として露出されるように折り部３で折り重ねられる状態にある。これにより、手袋１０は、折り部３付近の折り重ねられた袖口２の領域のみに触れることにより保持され得るので、袖口の縁４からある距離で領域に対する接触を制限し、汚染の危険性を減少させる。折り重ねられた袖口は手袋の使用前に広げられる（ｕｎｆｏｌｄｅｄ）。手袋の使用は、手袋が着用された後のあらゆる活動を含んでもよい。「着用」は、手を手袋の中に挿入し、その袖口を広げることに関する全ての活動を含む。
【０００８】
図２は、包装または他の保存手段から除去され、使用者により着用される前の場合のように構成されている一実施形態に係る無菌手袋２０の斜視図である。手袋１０と同様に、手袋２０は、指部および手部１、袖口２、袖口の折り部３および袖口の縁４を含む。その折り重ねられた状態において、袖口２の内面の少なくとも一部は「外側を向いている面」として露出される。袖口の折り部３は、使用者が手を手袋２０に挿入するための開口部を形成する。手袋２０はさらに、非自由端６および自由端７を有する、「取り外し可能な」タブまたは取り外し可能な「着用」タブ５を含み、非自由端６は袖口２の内面に連結される。一実施形態において、取り外し可能なタブ５は、その折り重ねられた状態において袖口２の外側を向いている面に連結される。一実施形態において、取り外し可能なタブ５は全体的に剛性である。使用者は、一方の手で取り外し可能なタブ５の自由端７のみを把持することによって無菌手袋２０を手に取り、扱うことができる。次いで他方の手を袖口の折り部の開口を通して挿入できる。
【０００９】
一実施形態において、非自由端６は、袖口の折り部３においてまたはその付近に連結され、取り外し可能なタブ５の自由端７は折り部３から突出する。これにより、袖口の折り部３の開口が適切に支持され、他方の手を挿入している間に広がらないことが確実になる。この実施形態において非自由端６は開口を形成または維持する機能をし得る。続いて、取り外し可能なタブ５の自由端７の全てまたは少なくとも触れられる部分は、他方の手を挿入した後（および手袋を使用する前）に取り外すことができ、手袋の残りの部分が使用者の一方の手と接触せずに、安全に他方の手に手袋２０を着用する。一実施形態において、タブ５に対する取り外し可能な部分の全ては、袖口が折り部で折り重ねられている場合、外側を向いている面に連結される。
【００１０】
一実施形態において、袖口の縁４と袖口の折り部３との間のサイズ、および外側を向いている面のサイズは、図１の手袋１０のような典型的な従来技術の無菌手袋と同様にほぼ同じである。手袋２０を着用している場合、使用者の一方の手と手袋のいずれかの部分との間に接触は存在しないが、内面付近の縁３の有意な領域が、他方の手を挿入している間、他方の手の皮膚と接触しないようにする必要が依然としてある。非自由端６の少なくとも一部を折り部３に、または折り部３付近に配置することにより、それを折り部からいくらか離れた距離の縁に、または縁付近に配置することと比較して予想外の利点が与えられる。なぜなら、手を挿入している間に袖口が広げられる傾向があり、非自由端６はこれを防ぐことができるからである。一実施形態において、着用の間に外側を向いている面のサイズが、１０などの従来技術の手袋とほぼ同じサイズであることを維持され、少なくとも顕著に小さくならないことを確実にするために、非自由端６は、折り部３に、または折り部３付近に連結される。一実施形態において、袖口３に対して最も近い位置の非自由端６は、袖口の縁４より袖口３に近い。一実施形態において、袖口が折り畳まれた場合、自由端７の取り外し可能な部分が、袖口の内側を向いている面（外側を向いている面の反対）にないように折り部３は配置される。
【００１１】
一実施形態において、外側を向いている面はほぼ平面を形成し、取り外し可能なタブ５の自由端７の少なくとも一部は平面に対して実質的に垂直な方向に突出する。一実施形態において、取り外し可能なタブ５の自由端７の少なくとも一部は、手袋２０の長手方向軸に対して実質的に半径方向に突出する（長手方向軸は、手部および指部１の方向に袖口の折り部の開口の中心を通して延びると定義される）。一実施形態において、自由端７は、使用者の一方の手が手袋２０のいずれかの他の部分と接触する危険性を最小化するため、および使用者の一方の手が、他方の手を手袋に挿入している間、使用者の他方の手、または他方の手の腕または袖のいずれかの部分と接触する危険性を最小化するために外側を向いている面から十分に離れて延びる。
【００１２】
タブ５の非自由端６は袖口２に取り外し可能に連結される。一実施形態において、非自由端６は全体的に剛性であり、折り部３を開口位置に保持するのに役立つ。例えば、図２に示すように、非自由端６は、折り部３に沿って延びるアーム１１、１２を有する、ほぼＴ字形であってもよい。図３は、別の実施形態に係る取り外し可能なタブ５の斜視図である。図３の実施形態において、取り外し可能なタブ５は実質的にＬ字形であり、非自由端６は、縁４に対して袖口の折り部３から離れて外側を向いている面に沿って延びる実質的に剛性部分１３を有し、袖口２の外側を向いている面の上に、剛性に突出する自由端７に対して実質的に直角を形成する。したがって、部分１３は、一方の手と外側を向いている面との間の接触の機会を最小化しながら、使用者が自由端７を介して手袋を安全に保持する支援をする。一実施形態において、部分１３はまた、袖口の縁４に取り外し可能に連結され、その部分１３が除去される場合、袖口を広げるために使用され得る。部分１３と自由端７との間の実施形態は直角以外の角度でも可能である。
【００１３】
実施形態において、取り外し可能なタブ５の自由端７は、手袋のいずれかの他の部分と接触せずに、使用者により容易に把持されるように手袋２０から十分に延びる。タブ、ループ、付属物、ハンドルなど（まとめて「タブ」と称する）を含む、適切に把持され得る任意の対象物が取り外し可能なタブ５のために使用されてもよい。一実施形態において、無菌手袋２０は、汚染を防止するために、ラテックスなどのエラストマーの不透水性材料または他の適切な材料を用いて作製される。
【００１４】
取り外し可能なタブ５は、着用の間に手袋２０がきつく把持され得るのに十分に強い接着を可能にし、また、タブ５の全てまたは少なくとも接触した部分が後で取り外せることを可能にする任意の公知の接着機構により袖口２に配置され得る。図４は、別の実施形態に係る取り外し可能なタブ５の斜視図である。図４において、タブ５は、接着材により袖口２に固定され、接着領域にすぐ隣接して、タブ５の幅の全て、または一部にわたってミシン目１４を含む。タブ５が適切な方向に引っ張られた場合、ミシン目１４は、タブ５を接着領域から引き離すことを可能にする。この実施形態は、触れた部分が引き離された後、タブ５の非自由端６の少なくとも一部が依然として袖口２に連結したままにする。一実施形態において、袖口が折り畳まれる場合、タブの取り外し可能な部分のどれも袖口の内側を向いている部分に位置しないように折り部３は配置される。袖口２が完全に広げられ、手袋が使用される場合、非自由端６の残りの部分は袖口２の内面に位置し、それにより、残りの部分は完全に袖口の内側にあり、手袋の使用の妨げとならないようにする。一実施形態において、取り外し可能な部分の全ては、袖口が折り部において折り重ねられる場合、外側を向いている面に連結される。
【００１５】
別の実施形態において、タブ５全体は、適切な解放可能な接着材またはＶｅｌｃｒｏ（登録商標）などの解放可能な留め具を使用することにより取り外される。一実施形態において、圧力が手袋の長手方向軸の方向に付与される場合、所定の位置にきつく保持する指向性の解放可能な接着材が使用されてもよいが、横方向圧力が付与されると、容易に剥がされる。一実施形態において、伸びすぎるかまたは引き裂かれる危険性を最小化するために、タブ５は、使用者が手袋２０を装着する間に手袋２０に非常に大きな力を適用できないことを確実にするように袖口２に取り付けられ、これにより安全性が改善する。
【００１６】
タブ５はプラスチックなどの任意の適切な軽量の材料から構築されてもよく、着用の間に手袋はしっかりと保持され得、容易に滅菌され得る。タブ５は便利な任意のサイズおよび形状であってもよい。タブ５の非自由端６は、便利な任意のサイズおよび形状であってもよく、着用される間、折り部３の開口を保持するのに十分に剛性であってもよい。タブ５の全ては適切な剛性材料から作製されてもよい。一実施形態において、一般的な剛性材料により、タブ５は十分に剛性であるかまたは柔軟性がなく、それにより、使用者がタブ５の自由端７を把持する場合、他方の手が手袋に挿入される場合に引き起こされる力の下でタブは曲がらないかまたは形状を変化しない。タブは、使用者の一方の手が手袋のいずれかの部分、あるいは装着の間に使用者の他方の手または腕の一部と接触する危険性を増加させるほど剛性ではない。
【００１７】
図５は別の実施形態に係る無菌手袋３０の斜視図である。手袋３０は図２の手袋２０と同様であるが、手袋に連結され、袖口２の外側を向いている面の少なくとも一部を覆う取り外し可能なシールド８をさらに含む。一実施形態において、手袋３０は無菌エンベロープ（図示せず）内に包装され、その無菌エンベロープが開放される場合、図５に示すように手袋の袖部が折り重ねられた状態で使用者に手袋３０を提示する。一実施形態において、取り外し可能なタブ５の自由端７の少なくとも一部は袖口２の外側を向いている面から実質的に垂直に突出する。一実施形態において、手袋が折り畳まれ、および／または包装されている場合、シールド８の少なくとも一部は、取り外し可能なタブ５の自由端７と、袖口の外側を向いている面との間に存在する。一実施形態において、手袋が包装される場合、取り外し可能なタブの自由端が外側を向いている面と接触しないように、第１の取り外し可能なシールドは、取り外し可能なタブと、外側を向いている面との間にある。一実施形態において、シールド８は、折り部に、または折り部付近に連結され、袖口の縁４の方向に延びる。一実施形態において、シールド８は外側を向いている面の少なくとも一部を覆い、外側を向いている面から自由端７が、袖口の縁４の方向に延びる手袋から突出する。一実施形態において、手袋３０における袖口の縁４と袖口の折り部３との間のサイズ／距離、および外側を向いている面のサイズは、図１の手袋１０などの典型的な従来技術の無菌手袋とほぼ同じである。一実施形態において、シールド８は、取り外し可能なタブ５と手袋の同じ側である折り畳まれる袖口の外側を向いている面全体を覆う。一実施形態において、袖口が折り畳まれる場合、タブまたはシールドの取り外し可能な部分が袖口の内側を向いている面に位置しないように折り部は配置される。
【００１８】
手袋３０を着用する場合、使用者は、一方の手で取り外し可能なタブ５の自由端７を把持することにより無菌手袋３０を手に取り、扱うことができる。取り外し可能なシールド８は、使用者の一方の手と、タブまたはシールド以外の手袋のいずれかの他の部分との間に接触が存在しないことを確実にする。次いで他方の手が袖口の折り部の開口部を通して挿入され得る。続いて、取り外し可能なタブ５の全てまたは少なくとも触れられた部分は、取り外されることができ、取り外し可能なシールド８の全てまたは少なくとも触れられた部分は取り外されることができる。これにより、使用者の一方の手と接触するいずれかの残りの面を有さずに、手袋３０は他方の手にしっかりと着用した状態になる。一実施形態において、シールド８およびタブ５は一緒に連結されるので、取り外し可能なタブ５の全てまたは少なくとも触れられた部分が除去され、また、取り外し可能なシールド８の全てまたは少なくとも触れられた部分が除去される。一実施形態において、シールド８はまた、取り外される場合、手袋の袖口を広げるように使用され得るように、手袋の袖口の縁４に取り外し可能に連結され得る。一実施形態において、取り外し可能なタブおよび取り外し可能なシールドの触れられた部分の少なくとも全ては手袋が使用される前に除去される。
【００１９】
取り外し可能なシールド８は便利な任意の形状およびサイズであってもよい。ただし、それは、取り外し可能なタブ５の自由端７がシールド８およびタブ５以外の手袋のいずれかの部分に触れずに容易に把持され得ることを確実にするのに大きくなければならない。一実施形態において、シールド８は取り外し可能なタブ５の自由端７より幅広である。一実施形態において、シールド８は取り外し可能なタブ５の非自由端６より幅広である。一実施形態において、シールド８は袖口より幅広である。一実施形態において、シールド８は、取り外し可能なタブの自由端の長さより長い少なくとも一定の距離で袖口の縁に対して袖口の折り部から延びる。一実施形態において、シールド８は袖口の折り部から袖口の縁まで延びる。一実施形態において、シールド８は袖口の折り部から袖口の縁を超えて延びる。一実施形態において、取り外し可能なシールド８は、それが外側を向いている面の少なくとも一部を覆うように手袋に連結され、外側を向いている面から取り外し可能なタブの自由端は、袖口の縁の方向に延びる手袋から突出する。取り外し可能なシールド８は、フレキシブルなプラスチックシートなどの容易に滅菌もされ得る任意の適切な軽量材料から作製されてもよい。取り外し可能なシールド８は、任意の適切な解放可能な接着材または解放可能な留め具を使用することによって連結され得る。一実施形態において、取り外し可能なシールド８および取り外し可能なタブ５は単一部分として形成されてもよい。
【００２０】
図６は、一実施形態に係る平面に包装できる無菌手袋４０の斜視図である。手袋４０は、取り外し可能なタブ５の自由端７が、袖口の外側を向いている面に触れる側と反対側であるシールド８の外側に対して平面に包装されることを除いて図５の手袋３０と同様である。この実施形態において、タブ５は剛性であり、シールド８の外側以外の他の何かに触れずに自由端７が容易に把持され得ることを確実にするために、自由端７は十分なマージンによりシールド８の境界内にある。使用者は取り外し可能なタブ５の自由端７を把持でき、その自由端７が外側を向いている面およびシールド８から実質的に垂直に突出する位置にそれを引き上げることができる。この点で、図５の手袋３０と同様に手袋４０は着用され得る。別の実施形態において、取り外し可能なタブ５は、Ｌ字形の２つの部分の間にフレキシブルな部分またはヒンジ手段を有する、（図３のタブ５と同様に）実質的にＬ字形であってもよい。これにより、手袋を平面に包装できる。一実施形態において、ヒンジ手段は、手を挿入しながら、安定に支持するために実質的に垂直位置に固定され得る。ヒンジ手段が垂直以外の角度で固定され得る実施形態も可能である。
【００２１】
図７は一実施形態に係る無菌手袋５０の斜視図である。手袋５０は、手袋に連結される少なくとも２つの取り外し可能なシールド８および９ならびにシールド８と９との間に位置する取り外し可能なタブ５を含む。使用者は、他方の手を手袋に挿入しながら、一方の手で取り外し可能なタブ５の自由端７により手袋５０を手に取り、扱うように使用できる。シールド８および９は、使用者の一方の手と、手袋のいずれかの装着可能な部分との間あるいは一方の手と、他方の手の皮膚または使用者の他方の手の腕もしくは袖のいずれかの部分との間に接触が存在しないことを確実にする。手袋が他方に手に固定されると、タブ５ならびにシールド８および９は取り外すことができる。一実施形態において、タブ５ならびにシールド８および９の１つまたは両方は、それらが一緒に容易に取り外されるように一緒に連結され得る。一実施形態において、取り外すシールド８がまた、袖口上での折り畳みを広げるようにシールド８は袖口の縁４においてまたは袖口の縁４付近で連結される。シールド８は、便利であり、容易に滅菌され得、手袋３０について記載されているシールド８について使用される同様の手段により取り付けられ得る任意のサイズ、形状または材料であってもよい。この実施形態における変形はシールド９および取り外し可能なタブ５のみを用いて可能である。
【００２２】
図８は一実施形態に係る無菌手袋６０の斜視図である。手袋６０は、取り外し可能なタブ５の少なくとも自由端周囲のエンクロージャ（囲い）を形成する取り外し可能なシールド８を含む。このようにタブ５の自由端７を完全に囲むことにより、タブ５を把持するように使用される一方の手と、手袋６０に挿入される他方の手とが接触する危険性に対してさらなる保護を提供する。この実施形態の全ての他の態様は手袋２０、３０、４０および５０についての上記の等価要素と同様である。
【００２３】
図９は一実施形態に係る無菌手袋７０の斜視図である。手袋７０は、取り外し可能なタブに連結され、７の少なくとも自由端周囲にエンクロージャを形成する取り外し可能なシールド８を含む。このようにタブ５を完全に囲むことにより、タブ５を把持するために使用される一方の手と、手袋６０に挿入される他方の手が接触する危険性に対してさらなる保護を提供する。この実施形態の全ての他の態様は手袋２０、３０、４０、５０および６０についての上記の等価要素と同様である。
【００２４】
図１０は一実施形態に係る無菌手袋８０の斜視図である。手袋８０は、取り外し可能なタブ５が取り外し可能な伸張機構１５に置き換えられることを除いて手袋３０と同様である。伸張機構１５は、一対のハンドル１６、袖口の折り部３においてまたは袖口の折り部３付近に連結される一対の伸張アーム１７、および旋回軸１８を含む。ハンドル１６は旋回軸１８を介して伸張アーム１７に連結される。ハンドル１６が開口位置にある場合、折り部３は最小または伸張されていない状態にある。ハンドル１６が閉じた位置の方へ一緒に押される場合、折り部３は伸張した状態にある。したがって、伸張した状態において、伸張機構１５は手袋８０の開口を増加させて、使用者が手をより容易に挿入することを可能にする。ハンドル１６について、タブ、ループ、付属物など（まとめて「ハンドル」と称する）を含む、適切に把持され得る任意の対象物が使用されてもよい。一実施形態において、ハンドル１６は従来のはさみまたは鉗子のハンドルと同様である。一実施形態において、手袋８０は無菌エンベロープ（図示せず）内に包装され、その無菌エンベロープが開放される場合、図１０に示すように伸張されていない状態で手袋８０を使用者に提示する。使用者は、一方の手の使用者の親指と人差し指との間でハンドル１６を把持することにより無菌手袋８０を扱うことができる。シールド８０は、使用者の一方の手が手袋のいずれかの他の部分と接触することを防ぐ。次いで伸張機構１５は互いに対して人差し指と親指を押すことによって作動され得、ハンドル１６は閉じた位置まで動き、アーム１７は旋回軸１８により開口する。次いで他方の手は、伸張した状態の袖口の折り部の開口を介してより容易に挿入され得る。続いて、伸張機構１５の全てまたは一部は取り外されることができ、使用者の一方の手と接触する残りの面を有さずに手袋８０を他方の手に固定したまにする。続いて、シールド８は取り外され得る。一実施形態において、ハンドル１６のみが取り外され、袖口２が広げられる場合、アーム１７および旋回軸１８を手袋８０の内側に残す。一実施形態において、ハンドル１６は旋回軸１８に隣接する予め弱められた領域を含み、その領域は圧力が適切な方向に付与される場合、分離する。別の実施形態において、袖口２が広げられる前に、ハンドル１６、アーム１７および旋回軸１８は全て分離される。一実施形態において、旋回軸１８は手袋８０の指部および手部１から離れた方向に引っ張られる場合、分離し、手袋８０から離れてアーム１７を引っ張るためにハンドル１６を使用することができる。この実施形態において、アーム１７を袖口２に連結するために使用される接着材は、特に適切な方向に引っ張られる場合に解放される。一部の実施形態において、伸張機構１５は伸張されていない状態で包装される。他の取り外し可能な伸張機構が使用されてもよい。一実施形態において、シールド８もまた、袖口の縁４に取り外し可能に連結され、それが除去される場合、袖口を広げるために使用されてもよい。無菌手袋８０はさらに、実質的に袖口の縁４においてまたは袖口の縁４付近に連結され、手を挿入した後で、手袋を使用する前に折り畳まれた袖口を広げるように構成される追加の取り外し可能なタブ（図示せず）を含んでもよい。
【００２５】
いくつかの実施形態が本明細書に具体的に例示され、および／または記載されている。しかしながら、開示される実施形態の修飾および変更が上記の教示により含まれ、本発明の精神および意図される範囲から逸脱せずに、添付の特許請求の範囲の範囲内であることは理解されるだろう。
【図１】
0005956454.tif 000002
【図２】
0005956454.tif 000003
【図３】
0005956454.tif 000004
【図４】
0005956454.tif 000005
【図５】
0005956454.tif 000006
【図６】
0005956454.tif 000007
【図７】
0005956454.tif 000008
【図８】
0005956454.tif 000009
【図９】
0005956454.tif 000010
【図１０】
0005956454.tif 000011